(57)【要約】いくつかの治療では、光吸収粒子のような材料が患者皮膚の表面に送達されるようになっている。その後、毛包のような皮膚構造内への材料の移動は、マッサージャーのような機械的装置によって促進されることになる。本願は、このような治療に有用ないくつかの装置を記載している。
2017501857.tif 000002
【特許請求の範囲】
【請求項１】
流体を皮膚に送達すると共に前記皮膚をマッサージするための装置であって、
バッテリーおよび前記バッテリーと電気的に連通するバッテリー駆動モータを備えている装置本体と、
前記皮膚をマッサージするのに効果的となるように前記モータに連結されたマッサージヘッドと、
を備え、
前記装置本体は、送達容器を確実に保持するためのリセプタクルをさらに備えており、
前記リセプタクルは、ピストンを有しており、前記ピストンは、前記装置本体の表面上のボタンを押し込むことによって供給される入力信号に応じて、前記送達容器内においてわずかな増分だけ前進し、前記ピストンの前進が、わずかな量の流体を前記送達容器から前記皮膚の前記マッサージヘッドが前記皮膚をマッサージする箇所の近くに投与するようになっている、
装置。
【請求項２】
前記増分当たりの送達量は、０．１ｍＬから０．３ｍＬの間にある、請求項１に記載の装置。
【請求項３】
使い捨て式送達要素であって、
約０．５ｍＬから１０ｍＬの間の容積を備える無菌内部を有する容器
を備え、
前記容器は、密封状態と送達状態とを有する送達部材をさらに備えており、前記送達部材を通って、粒子を含む組成物が送達され得るようになっており、
前記容器は、前記送達状態において前記組成物を前記送達部材を通して送達するために、前記容器内の前記流体を加圧するのに効果的な部材をさらに備えている、
使い捨て式送達要素。
【請求項４】
送達装置内への挿入に適する形状をさらに備えている、請求項３に記載の使い捨て式送達要素。
【発明の詳細な説明】
【技術分野】
【０００１】
[援用記載]
本明細書に記載されている全ての刊行物および特許出願は、個々の刊行物または特許出願が参照することによってここに含まれるように具体的かつ個別に指示されているのと同じ程度に、その全体が参照することによってここに含まれるものとする。
【０００２】
[発明の分野]
本願は、粒子製剤の貯蔵に適する容器に関する。また、本願は、単独で用いられるかまたは粒子貯蔵容器と一体化された形態で用いられる、粒子送達に適する種々の関連する送達システムも含んでいる。
【背景技術】
【０００３】
光吸収材の体への外面塗布に基づく多くの選択的光熱融解治療が提案されてきている。１つの例示的な治療として、光吸収材を皮脂線内に導入し、次いで、レーザー照射することを含むニキビの治療が挙げられる。このような施術手順に用いられる光吸収材の例として、いくつかのナノシェル、例えば、ライス大学のHalasらによって開発されたシリカコアおよび金シェルを有するナノシェルが挙げられる。これらの材料は、高価であり、その取扱いが困難であり、用いられる量を軽減することが望まれている。典型的には、治療は、粒子の懸濁液を皮膚表面に塗布し、次いで、マッサージのような機械的方法を行なうことを含んでいる。これらの粒子は、典型的には、水、エタノール、アジピン酸ジイソプロピル、およびポリエチレングリコールからなる液体内に懸濁されている。これらは、典型的には、低粘度製剤であり、粒子送達は、多数の異なる機械的手段によって補助されるようになっている。
【発明の概要】
【発明が解決しようとする課題】
【０００４】
種々の皮膚治療位置に製剤を供給するという課題と相まって、このようなシステムの使用が増大しているが、それに伴って、既存の粒子送達システムおよび送達補助システムに欠点があることが明らかになってきている。必要とされているのは、単独動作型構成要素としての改良された粒子製剤貯蔵容器、または任意選択的に、所望の皮膚目標部位への粒子の送達を促進するために利用される粒子送達システムに対する一体型構成要素としての改良された粒子製剤貯蔵容器である。
【課題を解決するための手段】
【０００５】
本発明は、使い捨て形態または塗布器に一体化される再使用可能な形態の粒子容器の種々の代替的構成に関する。
【０００６】
また、本発明は、多数の代替的な粒子浸透補助機構に関する。粒子浸透補助機構および装置は、いくつかの実施形態では粒子送達構成から独立して示されているが、粒子製剤容器または本明細書に記載される他の粒子製剤送達技術と協働するように修正されてもよい。
【０００７】
本発明の新規の特徴は、以下の請求項に詳細に記載されている。本発明の特徴および利点のさらなる理解は、本発明の原理が適用される例示的な実施形態を示す以下の詳細な説明および添付の図面を参照することによって、得られるだろう。
【図面の簡単な説明】
【０００８】
【図１Ａ−１Ｆ】単独の粒子流体ディスペンサーパックの種々の図および例示的な塗布器と共に用いられる該粒子流体ディスペンサーパックの図（図１Ｆ）である。
【図２Ａ．２Ｂ】それぞれ、塗布器ペンの等角図および使用図である。
【図２Ｃ】塗布器ペンの分解図である。
【図２Ｄ】塗布器ペンの代替的構成を示す図である。
【図３Ａ．３Ｂ．３Ｃ】それぞれ、ローラボール塗布器の使用図、側面図、および断面図である。
【図３Ｄ．３Ｅ】ローラボール塗布器の代替図である。
【図４Ａ】指先ディスペンサーおよび手持ち塗布器の等角使用図である。
【図４Ｂ】指先ディスペンサーの代替的実施形態の断面図である。
【図４Ｃ−４Ｆ】指先ディスペンサーの代替的実施形態の追加図である。
【図５Ａ】手持ち塗布器内に一体化された使い捨て式送達容器の等角使用図である。
【図５Ｂ．５Ｄ】それぞれ、塗布器への取付け前の治療ヘッドの等角図および塗布器に取付けられた治療ヘッドの等角図である。
【図５Ｃ】図５Ａに示されている塗布器に取り付けられる前の粒子容器を示す図である。
【図６Ａ】手持ち塗布器内に一体化された使い捨て式送達容器の等角使用図である。
【図６Ｂ】粒子容器の挿入前の塗布器の等角図である。
【図６Ｃ】図６Ａに示されている粒子容器の等角図である。
【図７Ａ】手持ち塗布器内に一体化された使い捨て式送達容器の等角使用図である。
【図７Ｂ】手持ち塗布器内に一体化された使い捨て式送達容器と共にラック／ピニオン駆動機構を示す、図７Ａの塗布器の断面図である。
【図７Ｃ】図７Ａの塗布器の後面図である。
【図７Ｄ】図７Ｂに示されている粒子容器の等角図である。
【図７Ｅ】手持ち塗布器／マッサージ装置内に一体化された使い捨て式送達容器の実施形態の等角図である。
【図７Ｆ】図７Ｅの実施形態の等角図である。
【図７Ｇ】ヘッドカバーが装置から取り外されている図７Ｅの実施形態の等角分解図である。
【図７Ｈ】使い捨て式送達容器が装置から取り外されている図７Ｅの実施形態のさらなる等角分解図である。
【図７Ｉ】使い捨て式送達容器、充填チップ、およびプランジャーの等角図である。
【図７Ｊ】使い捨て式送達容器、前記使い捨て式送達容器に係合された充填チップ、および部分的に後退した位置にあるプランジャー、ならびに充填バイアルの等角図である。
【図７Ｋ】使い捨て式送達容器、前記使い捨て式送達容器に係合された送達チップ、および十分に後退した位置にあり、取外し可能なプランジャーが取り外されているストッパの等角図である。
【図８Ａ】手持ち塗布器内への挿入前の使い捨て式送達容器の等角図である。
【図８Ｂ】図８Ａの塗布器および挿入された容器の断面図である。
【図９】両端使用型手持ち塗布器の等角図である。
【図１０Ａ】粒子容器が適所に配置された両端使用型塗布器の投与端の拡大図である。
【図１０Ｂ】両端使用型塗布器の投与端内への粒子容器の挿入を示す図である。
【図１０Ｃ】図１０Ａ、図１０Ｂに示されている粒子容器の等角図である。
【図１１Ａ−１１Ｄ】調整可能なマッサージヘッドを示す種々の図である、
【図１２Ａ】手持ち塗布器の等角図である。
【図１２Ｂ】ヘッドが取り外されている図１２Ａの塗布器を示す図である。
【図１３Ａ】手持ち塗布器の等角図である。
【図１３Ｂ】ヘッドが取り外されている図１３Ａの塗布器を示す図である。
【図１４Ａ−１４Ｃ】かぶせ持ち式ディスペンサーを示す種々の図である。
【図１５Ａ】外部バッテリー／モータパックと共に用いられる図１４Ａ〜図１４Ｃのかぶせ持ち式ディスペンサーを示す図である。
【図１５Ｂ】バッテリーパックの取外しを示す図である。
【図１６】剛性ケーシング内に折畳み式バッグを有する送達容器の等角図である。
【図１７】ゴム球ポンプおよび注射器本体内に折畳み式バッグを有する注射器送達容器の等角図である。
【図１８】折畳み可能な絞込みリザーバおよび１対の逆止弁を有する送達容器に取り付けられた注射器の等角図である。
【図１９】折畳み可能な絞込みリザーバおよび１対の逆止弁を有する送達容器に取り付けられた注射器の等角図である。
【図２０】折畳み可能な絞込みリザーバおよび１対の逆止弁を有する送達容器に取り付けられた注射器の等角図である。
【図２１】折畳み可能な絞込みリザーバおよび単一逆止弁を有する送達容器に取り付けられた注射器の等角図である。
【図２２Ａ．２２Ｂ】圧縮性ベローズおよび１対の逆止弁を有する送達リザーバに取り付けられた注射器を示す図である（図２２Ａでは拡張形態にあるベローズが示されており、図２２Ｂでは圧縮形態にあるベローズが示されている）。
【図２３】図１８、図１９、図２０、図２２Ａ、図２２Ｂの実施形態を比較する表である。
【図２４】ピストンポンプ式流体送達装置の断面図である。
【図２５Ａ】図１８、図２４、図２２Ａ、図２２Ｂの種々の送達装置の全長の比較を示す図である。
【図２５Ｂ．２５Ｃ】粒子送達ハウジングの等角図および断面図である。
【図２６】ジッパータイ駆動システムを有する注射器の等角図である。
【図２７】プランジャー駆動装置を有する注射器本体の等角図である。
【図２８Ａ．２８Ｂ】プッシュロッド式送達装置の等角図および断面図である。
【図２９Ａ．２９Ｂ】それぞれ、例示的な手持ち塗布器内の図２５、２８Ａの送達装置を示す図である。
【図２９Ｃ．２９Ｄ】それぞれ、手持ち粒子塗布器の側方等角図および後方等角図である。
【図２９Ｅ】使用時の治療表面に対する手持ち位置および方位を示す、図２９Ｃ、図２９Ｄの塗布器のプロトタイプを示す図である。
【図２９Ｆ．２９Ｇ】それぞれ、手持ち粒子塗布器の側面図および等角図である。
【図２９Ｈ】図２９Ｆ、図２９Ｇの塗布器の断面図である。
【図２９Ｉ】図２９Ｈの断面図に示されているプランジャーアクチュエータの拡大図である。
【図３０】押込みパッドを有する流体ディスペンサーの等角図である。
【図３１】材料ディスペンサーチップを有する流体ディスペンサーの遠位部の拡大図である。
【図３２】単一バネ付勢ローラボール式流体ディスペンサーを底から見上げた等角図である。
【図３３】単一バネ付勢ローラボール式流体ディスペンサーを底から見上げた等角図である。
【図３４】多重フィンガー式流体ディスペンサーを底から見上げた等角図である。
【図３５Ａ】流体ディスペンサーの投与プッシャーの断面図である。
【図３５Ｂ】チップが押し込まれたときに送達孔がいかに開くかを示す図３５Ａのディスペンサーの断面図である。
【図３６】塗布器上の使い捨て式スリーブおよび粒子を含有する浸漬トレイの等角図である。
【図３７Ａ】両端使用型塗布器の等角図である。
【図３７Ｂ】浸漬塗布器と共に用いられる図３７Ａの装置の流体ディスペンサーチップの拡大図である。
【図３８Ａ．３８Ｂ】それぞれ、閉鎖形態および流体放出形態にある、流体を投与かつ塗布するためのプッシャーの断面図である。
【図３９Ａ】回転式流体ディスペンサーおよびマッサージローラの断面図である。
【図３９Ｂ】図３９Ａの装置の等角部分断面図である。
【図３９Ｃ】回転運動を示す図３９Ａの装置の上面図である。
【図４０Ａ．４０Ｂ】流体ディスペンサーの等角図および断面図である。
【図４１Ａ．４１Ｂ】それぞれ、塗布器内の嵌合受具への取付け前および取付け後の使い捨て式投与キャップを示す図である。
【図４２Ａ】使用前の塗布器および箔パケット／粒子パケットの断面図である。
【図４２Ｂ】図４２Ａの箔パケットの等角図である。
【図４３Ａ】使用時の塗布器および粒子パッドの断面図である。
【図４３Ｂ】図４３Ａのパッドの上面図である。
【図４４Ａ】塗布器の内部部品を透視して示す等角図である。
【図４４Ｂ】図４４Ａの塗布器の遠位端の代替構成の拡大図である。
【図４５】皮膚接触を検出する１つまたは複数の要素を有する塗布器の遠位端の等角図である。
【図４６Ａ．４６Ｂ】それぞれ、塗布器および塗布器から分離した使い捨て式ディスペンサーの側面図、および塗布器および塗布器に取り付けられた使い捨て式ディスペンサーの側面図である。
【図４６Ｃ】使い捨て式ディスペンサーの隆起した耳部と相互作用する回転式流体ディスペンサーの上面図である。
【図４７】マッサージヘッドおよびウィッキング流体送達ループを有するディスペンサーの等角図である。
【図４８】流体チップおよび空気ノズル送達システムを有する振動式送達ヘッドの遠位端の拡大等角図である。
【図４９】噴霧が行われている流体送達装置を透視して示す側面図である。
【図５０Ａ．５０Ｂ】それぞれ、流体ディスペンサーの等角図および側面図である。
【図５１】軌道式ヘッドを有する流体ディスペンサーの内部部品を透視して示す等角図である。
【図５２Ａ】粒子塗布器の遠位端の図である。
【図５２Ｂ】粒子を皮膚に塗布している図５２Ａの送達装置の側面図である。
【図５２Ｃ】図５２Ｂにおいて供給された液滴を分配するために用いられる塗布器の側面図である。
【図５３Ａ】粒子製剤によって予め湿潤化された容器パッドを示す図である。
【図５３Ｂ】粒子を皮膚に送達するために図５３Ａのパッドと併せて用いられる塗布器の等角図である。
【図５４】付着性粒子送達ポーチの等角図である。
【図５５】多数の粒子製剤カプセルを有する付着性粒子送達パッチの等角図である。
【図５６Ａ】一組の予成形された付着性粒子送達パッドの等角図である。
【図５６Ｂ】図５６Ａのパッドから粒子を送達するための塗布器の使用を示す図である。
【図５７Ａ】一組の顔の周辺に合わせて形作られた予成形付着性粒子送達パッドの等角図である。
【図５７Ｂ】図５７Ａのパッドから粒子を送達するための塗布器の使用を示す図である。
【図５８Ａ】一組の顔に合わせて形作られた予成形付着性粒子送達パッドの等角図である。
【図５８Ｂ】図５８Ａのパッドから粒子を送達するための塗布器の使用を示す図である。
【図５９Ａ】複数の凍結粒子製剤を示す図である。
【図５９Ｂ】皮膚目標部位への浸透のために粒子製剤を液化するために用いられる適切な塗布器内に挿入される前の図５９Ａの粒子製剤の１つを示す図である。
【図６０】吸引に基づくディスペンサーおよび塗布器の等角図である。
【図６１】トリガー作動式回転マッサージ塗布器の等角図である。
【図６２】指先作動式流体ディスペンサーを有するかぶせ持ち式塗布器の等角図である。
【図６３Ａ．６３Ｂ】それぞれ、流体ディスペンサーが下向きに配置された両面使用型ディスペンサーおよび塗布器の等角図、およびマッサージャーが下向きに配置された両面使用型ディスペンサーおよび塗布器の等角図である。
【図６３Ｃ】図６３Ａの端面図である。
【図６４】代替的棒状設計の等角図である。
【図６５】空気カートリッジ補助送達構成を有するディスペンサーを示す図である。
【図６６】使い捨て式流体カートリッジの挿入前のトリガー作動式手持ち塗布器の等角図である。
【図６７】手持ちマッサージャーおよび流体送達装置の等角図である。
【図６８】手を覆う区域が図６７の実施形態よりも少ない手持ちマッサージャーおよび流体送達装置の等角図である。
【図６９】回転マッサージャーおよび流体ディスペンサーの等角図である。
【図７０】両端使用型ディスペンサーの等角図である。
【図７１】別体の駆動／電源システムが取り付けられた図１４Ａ〜図１５Ｂに示されているような他の手持ち塗布器の等角図である。
【図７２】回転式ディスペンサーパッドの側面図である。
【図７３】粒子送達のために吸引と振動との組合せを用いる塗布器の遠位端の側面図である。
【図７４】粒子送達のために圧電振動を用いる塗布器の遠位端の断面図である。
【図７５】粒子送達のために誘導コイルおよび磁石を用いる塗布器の遠位端の断面図である。
【図７６】代替的振動装置を有する塗布器の遠位端を示す図である。
【図７７】２つの回転ヘッドを有する塗布器の等角図である。
【図７８Ａ．７８Ｂ】３つの回転ヘッドを有する塗布器の等角図および側面図である。
【図７９Ａ】２つの振動球を有する塗布器の側面図である。
【図７９Ｂ】使用時に鼻に配置される図７９Ａの塗布器を示す図である。
【図８０】複数の水平ローラを有する塗布器の遠位端の等角図および部分断面図である。
【図８１】複数のバネ付勢フィンガーを有する塗布器の遠位端の断面図である。
【図８２Ａ．８２Ｂ】それぞれ、回転付勢された斜面との相互作用によって移動する個々のピンを有する塗布器の等角図および側面図である。
【発明を実施するための形態】
【０００９】
本明細書において、ある特徴部または要素が他の特徴部または要素の「上（ｏｎ）」に位置すると記載されているとき、該特徴部または要素は、他の特後部または要素の上に直接位置していてもよいし、または介在する特徴部および／または要素が存在していてもよい。対照的に、ある特徴部または要素が他の特徴部または要素の「上に直接（ｄｉｒｅｃｔｌｙ  ｏｎ）」位置していると記載されているとき、介在する特徴部または要素は、存在していない。また、ある特後部または要素が、他の特徴部または要素に「接続されている（ｃｏｎｎｅｃｔ）」、「取付けられている（ａｔｔａｃｈｅｄ）」、または「連結されている（ｃｏｕｐｌｅｄ）」と記載されているとき、該特徴部または要素は、他の特徴部または要素に直接的に接続、取付け、または連結されていてもよいし、または介在する特徴部または要素が存在していてもよいことを理解されたい。対照的に、ある特徴部または要素が他の特徴部または要素に「直接接続されている（ｄｉｒｅｃｔｌｙ  ｃｏｎｎｅｃｔｅｄ）」、「直接取付けられている（ｄｉｒｅｃｔｌｙ  ａｔｔａｃｈｅｄ）」、または「直接連結されている（ｄｉｒｅｃｔｌｙ  ｃｏｕｐｌｅｄ）」と記載されているとき、介在する特徴部または要素は、存在していない。一実施形態に関して記載または図示されていても、そのように記載または図示されている特徴部または要素は、他の実施形態に適用されてもよい。また、当業者であれば、ある構造または特徴部が他の特徴部に「隣接して（ａｄｊａｃｅｎｔ）」配置されていると記載されているとき、該構造および特徴部は、隣接する特徴部の上に位置する部分を有していてもよいし、または下に位置する部分を有していてもよいことを理解するだろう。
【００１０】
本明細書に用いられている専門用語は、特定の実施形態を説明することのみを目的としており、本発明を制限することを意図するものではない。例えば、本明細書に用いられている単数形の「ａ」、「ａｎ」、および「ｔｈｅ」は、文脈が明らかに別のことを示していない限り、複数形を含むことも意図されている。「〜を備える（ｃｏｍｐｒｉｓｅ）」、および／または「〜を備えている（ｃｏｍｐｒｉｓｉｎｇ）」という用語は、本明細書に用いられる場合、記述されている特徴、工程、操作、要素、および／または構成部品の存在を特定することになるが、１つまたは複数の他の特徴、工程、操作、要素、構成部品、および／またはそれらの群の存在または追加を排除するものではないことをさらに理解されたい。本発明に用いられる「および／または（ａｎｄ／ｏｒ）」という用語は、互いに関連して列挙されている項目の１つまたは複数のいずれかの組合せおよび全ての組合せを含んでおり、「／」として略されている場合もある。
【００１１】
「〜の下に（ｕｎｄｅｒ）」、「〜の下方に（ｂｅｌｏｗ）」、「〜の下側の（ｌｏｗｅｒ）」、「〜の上方に（ｏｖｅｒ）」、「〜の上側の（ｕｐｐｅｒ）」などの空間に関連する用語は、図面に示されている１つの要素または特徴部と１つまたは複数の他の要素または特徴部との関係を説明するための記述を容易にするために、本明細書に用いられることがある。空間に関連するこれらの用語は、図面に描かれている方位に加えて、使用時または操作時における装置の異なる方位を含むことも意図されていることを理解されたい。例えば、もし図面における装置が倒置された場合、他の要素または特徴部の「下（ｕｎｄｅｒ）」または「真下（ｂｅｎｅａｔｈ）」に位置すると記述されている要素は、他の要素または特徴部の「上（ｏｖｅｒ）」に配向されることになる。従って、「〜の下に（ｕｎｄｅｒ）」という例示的な用語は、「〜の上に」および「〜の下に」の両方の方位を含んでいることになる。装置は、これ以外に配向されることもあるが、（すなわち、９０°または他の方位に回転されることもあるが）、この場合、本明細書に用いられる空間に関連する記述用語も、それに応じて、解釈されるとよい。同様に、本明細書では、「上向きに（ｕｐｗａｒｄｌｙ）」、「下向きに（ｄｏｗｎｗａｒｄｌｙ）」、「垂直の（ｖｅｒｔｉｃａｌ）」、「水平の（ｈｏｒｉｚｏｎｔａｌ）」、などの用語は、特に他の規定がなければ、説明の目的でのみ用いられている。
【００１２】
本明細書では、種々の特徴部／要素を記述するために、「第１の（ｆｉｒｓｔ）」および「第２の (ｓｅｃｏｎｄ)」という用語が用いられているが、これらの特徴部／要素は、文脈に特に他の規定がない限り、これらの用語に制限されるべきではない。これらの用語は、１つの特徴部／要素を他の特徴部／要素から区別するために用いられている。従って、本発明の示唆から逸脱することなく、以下に記述される第１の特徴部／要素が第２の特徴部／要素と呼ばれてもよく、同様に、以下に記載される第２の特徴部／要素が第１の特徴部／要素と呼ばれてもよい。
【００１３】
図１Ａ〜図１Ｆは、単独の粒子流体ディスペンサーパックの種々の図および例示的な塗布器と共に用いられる該粒子流体ディスペンサーパックの図（図１Ｆ）を示している。
【００１４】
図２Ａおよび図２Ｂは、それぞれ、塗布器ペンの等角図および使用図を示している。図２Ｃは、分解図であり、図２Ｄは、代替的構成の図である。
【００１５】
図３Ａ、図３Ｂおよび図３Ｃは、それぞれ、ローラボール塗布器の使用図、側面図、および断面図を示している、図３Ｄおよび図３Ｅは、代替図を示している。
【００１６】
図４Ａは、指先ディスペンサーおよび手持ち塗布器の等角使用図である。図４Ｂは、指先ディスペンサーの代替的実施形態の断面図である。図４Ｃ〜図４Ｆは、指先ディスペンサーの代替的実施形態の追加図である。
【００１７】
図５Ａは、手持ち塗布器内に一体化された使い捨て式送達容器の等角使用図を示している。図５Ｂは、塗布器に取り付けられる前の処理ヘッドの等角図である（処理ヘッドは、図５Ｄにおいて取付けられている）。図５Ｃは、図５Ａに示されている塗布器に取付けられる前の粒子容器である。
【００１８】
図６Ａは、手持ち塗布器内に一体化された使い捨て式送達容器の等角使用図を示している。図６Ｂは、粒子容器の挿入前の塗布器の等角図である。図６Ｃは、図６Ａに示されている粒子容器の等角図である。
【００１９】
図７Ａは、手持ち塗布器内に一体化された使い捨て式送達容器の等角使用図を示している。図７Ｂは、手持ち塗布器内に一体化された使い捨て式送達容器と共にラック／ピニオン駆動機構を示す、図７Ａの塗布器の断面図である。図７Ｃは、図７Ａの塗布器の後面図を示している。図７Ｄは、図７Ｂに示されている粒子容器の等角図である。
【００２０】
図７Ｅ〜図７Ｋに示されている本発明の装置の実施形態７００を参照すると、該装置は、本体７０５を有している。図示されていないが、従来式のバッテリー駆動モータおよびバッテリーが本体７０５内に配置されている。また、図示されていないが、前記モータに連結され、ヘッドカバー７５０によって覆われた装置７００のヘッドをヘッドカバー７５０に接触する表面をマッサージするように移動させる機構が、本体７０５内に配置されている。
【００２１】
図７Ｅは、電源ボタン７１０、使い捨て式送達容器７２５、プルタブ７３０、解除ボタン７４０、送達チップ７１５、ストッパ７８５、およびアクチュエータボタン７２０も示している。
【００２２】
図７Ｆは、図７Ｅ〜図７Ｋに示されている本発明の装置の実施形態７００の正面図を示している。この図の方向から見ると、ヘッドカバー７５０は、最も手前の位置にある。ヘッドカバー７５０内の空間内に送達チップ７１５が配置されており、該送達チップを通って、患者の皮膚に送達される粒子を含む組成物（例えば、プラズモニックナノ粒子を含む組成物）が送達されるようになっている。本体７０５の各側には、アクチュエータボタン７２０が配置されている。プルタブ７３０が使い捨て式送達容器７２５から上方に突出しており、解除ボタン７４０が使い捨て式送達容器７２５の後方に配置されている。
【００２３】
図７Ｇは、図７Ｅ〜図７Ｋに示されている本発明の装置の実施形態７００の他の側面図を示している。ここでも、装置は、本体７０５を有している。図７Ｆも、電源ボタン７１０、使い捨て式送達容器７２５、プルタブ７３０、解除ボタン７４０、アクチュエータボタン７２０、およびヘッドカバー７５０を示している。しかし、この図では、ヘッドカバー７５０は、装置ヘッド７４５を覆っていない。
【００２４】
また、マッサージ作用を本体７０５内のモータから装置ヘッド７４５に伝達するコネクタ７３５が、図７Ｇに示されている。
【００２５】
図７Ｈは、図７Ｅ〜図７Ｋに示されている本発明の装置の実施形態７００のさらに他の側面図を示している。この図では、プルタブ７３０および送達チップ７１５を有する使い捨て式送達容器７２５は、実施形態７００内ではなく、実施形態７００の上方に位置している。使い捨て式送達容器７２５を収容するためのリセプタクル７７５が、使い捨て式送達容器７２５の下方の本体７０５内に配置されている。
【００２６】
図７Ｈは、解除ボタン７４０、アクチュエータボタン７２０、およびヘッドカバー７５０も示している。
【００２７】
図７Ｉは、図７Ｅ〜図７Ｋに示されている本発明の装置の実施形態７００に用いられる送達容器７２５の実施形態を示している。この図では、送達容器７２５は、ストッパ７８５に取り付けられた取外し可能なプランジャー７８０を有している。ストッパ７８５およびプランジャー７８０は、送達容器の（ルアーコネクタ７３５に隣接する）送達端まで前進するようになっている。プルタブ７３０は、送達容器７２５から突出しており、充填チップ７５５は、ルアーコネクタ７３５の前方に離脱された状態で示されている。
【００２８】
図７Ｊは、図７Ｅ〜図７Ｋに示されている本発明の装置の実施形態７００に用いられる送達容器７２５の実施形態を示している。この図では、送達容器７２５の取外し可能なプランジャー７８０は、部分的に引き出され（かつプルタブ７３０によって部分的に隠されている）状態で示されている。充填チップ７５５は、ルアーコネクタ７３５を介して送達容器７２５に接続された状態で示されている。図７Ｊは、充填バイアル７９０も示している。
【００２９】
図７Ｋは、図７Ｄ〜図７Ｋに示されている本発明の装置の実施形態７００に用いられる送達容器７２５の実施形態を示している。この図では、送達容器７２５の取外し可能なプランジャー（図示せず）は、完全な後退位置にあるストッパ７８５から取り外されている。加えて、充填チップ（図示せず）が取り外されており、送達チップ７１５が、送達容器７２５に取り付けられるために、ルアーコネクタ７３５に隣接して位置している。ここでも、プルタブ７３０は、送達容器７２５から突出している。
【００３０】
図７Ｅ〜図７Ｋに示されている本発明の装置は、最初に使い捨て式送達容器７２５を充填することによって、使用可能になる。例えば、投与される流体は、充填バイアル７９０内に準備されている。取外し可能なプランジャー７８０が、典型的には、取外し可能なプランジャー７８０の遠位端をストッパにねじ込むことによって、ストッパ７８５に固定される。加えて、充填チップ７５５が、ルアーコネクタ７３５に固定される。ストッパ７８５は、取外し可能なプランジャー７８０を押し込むことによって、送達容器７２５の送達端に前進する。充填チップ７５５が充填バイアル７９０内に配置され、取外し可能なプランジャー７８０が引き出され、投与される流体が送達容器７２５内に引き込まれる。適切な量の流体が送達容器７２５内に引き込まれたとき（好ましい実施形態では、送達容器７２５内の適切な量の流体を示す目盛が送達容器７２５に付されている）、充填チップ７５５が充填バイアル７９０から取り外され、ルアーコネクタ７３５から離脱される。ほぼ同時に、取外し可能なプランジャー７８０が、典型的には、ネジを緩めて外すことによって、ストッパ７８５から取り外される。
【００３１】
いったん送達容器７２５が充填されたなら、送達チップ７１５が、ルアーコネクタ７３５に隣接して配置され、送達容器７２５に取り付けられる。
【００３２】
送達チップ７１５が取り付けられた（取外し可能なプランジャー７８０のない）充填済み送達容器７２５は、通常、プルタブ７２５によって保持された状態でリセプタクル７７５の上方に配置され、次いで、リセプタクル７７５内に挿入される。いったん充填済み送達容器７２５がリセプタクル７７５内に配置されたなら、アクチュエータボタン７２０が装置本体７０５の中心に向かって押し込まれる。アクチュエータボタン７２０が押し込まれるごとに、装置本体７０５内のプランジャー（図示せず）が送達容器７２５に向かってかつ送達容器７２５内に前進するようになっている。いったん装置本体７０５内のプランジャーがストッパ７８５に接触したなら、アクチュエータボタン７２０が押し込まれるごとに、ストッパ７８５が前進し、これによって、増分当たり略０．１ｍＬの流体を送達容器７２５から投与することになる。  
【００３３】
いったん装置本体７０５内のプランジャーが、アクチュエータボタン７２０の押込みごとにストッパ７８５を前進させ、再現可能な少量の流体、一般的には、略０．１ｍＬから０．３ｍＬの間の流体を送達容器７２５から投与するように配置されたなら、装置は、使用の準備が整ったことになる。
【００３４】
電源ボタン７１０を先に押し込み、次いで、解放することによって、装置７００のヘッドを移動させる内部のバッテリー駆動モータが、ヘッドカバー７５０が接触する皮膚に対してマッサージ作用を与えるように、作動する。これによって、装置７００を投与される流体によって治療される患者の皮膚の部分に接触させて保持する装置７００のユーザーは、皮膚をマッサージすることになる。ユーザーによって決められた間隔でアクチュエータボタン７２０が押し込まれ、流体が投与され、流体が塗布された患者の皮膚がマッサージされることになる。このマッサージによって、皮膚内の毛包のような構造内への流体に含まれる材料の送達が容易になる。
【００３５】
患者の皮膚に送達される粒子を含む組成物の所望の量が送達された後、送達容器７２５は、装置本体７０５から取り外される。典型的には、取外しプロセスは、解除ボタン７４０の押込みによって行なわれる。この押込みによって、プランジャーを装置本体７０５内に引き出す機構が作動するようになっている。この時点で、プルタブ７３０を本体７０５から離れる方に引っ張ることによって、送達容器７２５がリセプタクル７７５から取り外される。
【００３６】
装置が他の患者に組成物を送達するために用いられる前に、ヘッドカバー７５０が新しい一回使用のヘッドカバー７５０に取り換えられることがさらに考えられる。
【００３７】
図８Ａは、手持ち塗布器内への挿入前の使い捨て式送達容器の等角図を示している。図８Ｂは、図８Ａの塗布器および挿入された容器の断面図である。
【００３８】
図９は、両端使用型手持ち塗布器の等角図を示している。
【００３９】
図１０Ａは、粒子容器が適所に配置された両端使用型塗布器の投与端の拡大図を示している。図１０Ｂは、両端使用型塗布器の投与端内への粒子容器の挿入を示している。図１０Ｃは、図１０Ａおよび図１０Ｂに示されている粒子容器の等角図である。
【００４０】
図１１Ａ〜図１１Ｄは、調整可能なマッサージャーヘッドの種々の図を示している。
【００４１】
図１２Ａは、手持ち塗布器の等角図を示している。図１２Ｂは、ヘッドが取り外されている図１２Ａの塗布器の図である。
【００４２】
図１３Ａは、手持ち塗布器の等角図を示している。図１３Ｂは、ヘッドが取外されている図１３Ａの塗布器の図である。
【００４３】
図１４Ａ〜図１４Ｃは、かぶせ持ち式ディスペンサーの種々の図を示している。
【００４４】
図１５Ａは、外部バッテリー／モータパックと共に用いられる図１４Ａ〜図１４Ｃのかぶせ持ち式ディスペンサーを示している。図１５Ｂは、バッテリーパックの取外しを示している。
【００４５】
図１６は、剛性ケーシング内に折畳み式バッグを有する送達容器の等角図である。
【００４６】
図１７は、ゴム球ポンプおよび注射器本体内に折畳み式バッグを有する注射器送達容器の等角図である。
【００４７】
図１８は、折畳み可能な絞込みリザーバおよび１対の逆止弁を有する送達容器に取り付けられた注射器の等角図である。
【００４８】
図１９は、折畳み可能な絞込みリザーバおよび１対の逆止弁を有する送達容器に取り付けられた注射器の等角図である。
【００４９】
図２０は、折畳み可能な絞込みリザーバおよび１対の逆止弁を有する送達容器に取り付けられた注射器の等角図である。
【００５０】
図２１は、折畳み可能な絞込みリザーバおよび単一逆止弁を有する送達容器に取り付けられた注射器の等角図である。
【００５１】
図２２Ａおよび図２２Ｂは、圧縮性ベローズおよび１対の逆止弁を有する送達リザーバに取り付けられた注射器を示している。ベローズは、図２２Ａでは拡張形態で示されており、図２２Ｂでは圧縮形態で示されている。
【００５２】
図２３は、図１８、図１９、図２０、図２２Ａおよび図２２Ｂの実施形態を比較する図である。
【００５３】
図２４は、ピストンポンプ式流体送達装置の断面図である。
【００５４】
図２５Ａは、図１８、図２４、図２２Ａおよび図２２Ｂの種々の送達装置の全長の比較を示す図である。
【００５５】
図２５Ｂおよび図２５Ｃは、粒子送達容器ハウジングの実施形態の等角図および断面図である。図２５Ｂは、ここに記載されている塗布器と共に用いられるように適合かつ構成された例示的な粒子容器ハウジングの外面、大きさ、および形状を示している。外部特徴部および１つまたは複数の嵌合特徴部の大きさおよび形状は、粒子容器および／または塗布器の最終構造に依存して決められることを理解されたい。同様に、図２５Ｃは、図２５Ｂの容器の断面図である。内部の詳細および適切なプランジャーは、この図から省略されている。しかし、ここに記載されている種々の粒子送達モードのいずれも、図２５Ｂおよび図２５Ｃに例示されているように具体的に設計された粒子チャンバ内に用いられるように適合かつ構成されてもよいことを理解されたい。さらなる態様では、粒子チャンバまたはカートリッジは、図１６〜図２５Ａに図示かつ記載されている送達装置または送達モードのいずれかに適応するように適合かつ構成されてもよい。
【００５６】
図２６は、ジッパータイ駆動システムを有する注射器本体の等角図である。
【００５７】
図２７は、プランジャー駆動システムを有する注射器本体の等角図である。
【００５８】
図２８Ａおよび図２８Ｂは、プッシュロッド送達装置の等角図および断面図である。
【００５９】
図２９Ａおよび図２９Ｂは、それぞれ、例示的な手持ち塗布器内の図２４および図２８Ａの送達装置を示している。
【００６０】
図２９Ｃおよび図２９Ｄは、それぞれ、手持ち粒子塗布器の側方等角図および後方等角図である。図２９Ｅは、使用時の治療表面に対する手持ち位置および方位を示す、図２９Ｃおよび図２９Ｄの塗布器の試作品を示している。
【００６１】
図２９Ｆおよび図２９Ｇは、それぞれ、手持ち粒子塗布器の側面図および等角図である。図２９Ｈは、図２９Ｆおよび図２９Ｇの塗布器の断面図である。図２９Ｉは、図２９Ｈの断面図に
示されているプランジャーアクチュエータの拡大図である。図２９Ｉに示されている機構の全てまたは一部が、ここに記載されている他の塗布器、例えば、図２６〜図２９Ｅに示されている塗布器と共に用いられるように修正または適合されてもよい。
【００６２】
図３０は、押込みパッドを有する流体ディスペンサーの等角図である。
【００６３】
図３１は、材料ディスペンサーチップを有する流体ディスペンサーの遠位部分の拡大図である。
【００６４】
図３２は、単一バネ付勢ローラボール式流体ディスペンサーを底から見上げた等角図である。
【００６５】
図３３は、多重バネ付勢ローラボール式流体ディスペンサーを底から見上げた等角図である。
【００６６】
図３４は、多重フィンガー式流体ディスペンサーを底から見上げた等角図である。
【００６７】
図３５Ａは、流体ディスペンサーの投与プッシャーの断面図である。図３５Ｂは、チップが押し込まれたときに送達孔がいかに開くかを示す図３５Ａのディスペンサーの断面図である。
【００６８】
図３６は、塗布器上の使い捨て式スリーブおよび粒子を含有する浸漬トレイの等角図である。
【００６９】
図３７Ａは、両端使用型塗布器の等角図である。図３７Ｂは、浸漬塗布器と共に用いられる図３７Ａの装置の流体ディスペンサーチップの拡大図である。
【００７０】
図３８Ａおよび図３８Ｂは、それぞれ、閉鎖形態および流体放出形態にある、流体を投与かつ塗布するためのプッシャーの断面図を示している。
【００７１】
図３９Ａは、回転式流体ディスペンサーおよびマッサージローラの断面図である。図３９Ｂは、図３９Ａの装置の等角部分断面図である。図３９Ｃは、回転運動を示す図３９Ａの装置の上面図である。
【００７２】
図４０Ａおよび図４０Ｂは、流体ディスペンサーの等角図および断面図である。
【００７３】
図４１Ａおよび図４１Ｂは、それぞれ、塗布器内の嵌合受具への取付け前および取付け後の使い捨て式投与キャップを示している。
【００７４】
図４２Ａは、使用前の塗布器および箔パケット／粒子パケットの断面図である。図４２Ｂは、図４２Ａの箔パケットの等角図である。
【００７５】
図４３Ａは、使用時の塗布器および粒子パッドの断面図である。図４３Ｂは、図４３Ａのパッドの上面図である。
【００７６】
図４４Ａは、塗布器の内部部品を透視して示す等角図である。図４４Ｂは、図４４Ａの塗布器の遠位端の代替的構成の拡大図である。
【００７７】
図４５は、皮膚接触を検出する１つまたは複数の要素を有する塗布器の遠位端の等角図である。
【００７８】
図４６Ａおよび図４６Ｂは、それぞれ、塗布器および塗布器から分離した使い捨て式ディスペンサーの側面図および塗布器および塗布器に取り付けられた使い捨て式ディスペンサー側面図である。図４６Ｃは、使い捨て式ディスペンサーの隆起した耳部と相互作用する回転式流体ディスペンサーの上面図である。
【００７９】
図４６Ａは、図３９Ａの装置の部分断面図である。図３９Ｃは、回転運動を示す図３９Ａの上面図である。
【００８０】
図４７は、マッサージヘッドおよびウィッキング流体送達ループを有するディスペンサーの等角図である。
【００８１】
図４８は、流体チップおよび空気ノズル送達システムを有する振動式送達ヘッドの遠位端の拡大等角図である。
【００８２】
図４９は、噴霧が行なわれている流体送達装置を透視して示す側面図である。
【００８３】
図５０Ａおよび図５０Ｂは、それぞれ、流体ディスペンサーの等角図および側面図である。
【００８４】
図５１は、軌道式ヘッドを有する流体ディスペンサーの内部部品を透視して示す等角図である。
【００８５】
図５２Ａは、粒子塗布器の遠位端の図を示している。図５２Ｂは、粒子を皮膚に塗布している図５２の送達装置の側面図である。図５２Ｃは、図５２Ｂにおいて供給された液滴を分配するために用いられる塗布器の側面図である。
【００８６】
図５３Ａは、粒子製剤によって予め湿潤化された容器パッドを示している。図５３Ｂは、粒子を皮膚に送達するために図５３Ａのパッドと併せて用いられる塗布器の等角図である。
【００８７】
図５４は、付着性粒子送達ポーチの等角図である。
【００８８】
図５５は、多数の粒子製剤カプセルを有する付着性粒子送達パッチの等角図である。
【００８９】
図５６Ａは、一組の予成形された付着性粒子送達パッドの等角図である。図５６Ｂは、図５６Ａのパッドから粒子を送達するための塗布器の使用を示している。
【００９０】
図５７Ａは、一組の顔の周辺に合わせて形作られた予成形付着着性粒子送達パッドの等角図である。図５７Ｂは、図５７Ａのパッドから粒子を送達するための塗布器の使用を示している。
【００９１】
図５８Ａは、一組の顔に合わせて形付けられた予成形付着性粒子送達パッドの等角図である。図５８Ｂは、図５８Ａのパッドから粒子を送達するための塗布器の使用を示している。
【００９２】
図５９Ａは、複数の凍結粒子製剤を示している。図５９Ｂは、皮膚目標部位への浸透のために粒子製剤を液化するために用いられる適切な塗布器内に挿入される前の図５９Ａの粒子製剤の一つを示している。
【００９３】
図６０は、吸引に基づくディスペンサーおよび塗布器の等角図である。
【００９４】
図６１は、トリガー作動式回転マッサージ塗布器の等角図である。
【００９５】
図６２は、指先作動式流体ディスペンサーを有するかぶせ持ち式塗布器の等角図である。
【００９６】
図６３Ａおよび図６３Ｂは、流体ディスペンサーを下向きにした状態（図６３Ａ）およびマッサージャーを下向きにした状態（図６３Ｂ）の両面使用型ディスペンサーおよび塗布器の等角図である。図６３Ｃは、図６３Ａの端面図である。
【００９７】
図６４は、代替的棒状設計の等角図である。
【００９８】
図６５は、空気カートリッジ補助送達構成を有するディスペンサーである。
【００９９】
図６６は、使い捨て式流体カートリッジの挿入前のトリガー作動式手持ち塗布器の等角図である。
【０１００】
図６７は、手持ちマッサージャーおよび流体送達装置の等角図である。
【０１０１】
図６８は、手を覆う区域が図６７の実施形態よりも少ない手持ちマッサージャーおよび流体送達装置の等角図である。
【０１０２】
図６９は、回転マッサージャーおよび流体ディスペンサーの等角図である。
【０１０３】
図７０は、両端使用型ディスペンサーの等角図である。
【０１０４】
図７１は、別体の駆動／電源システムが取り付けられた図１４Ａ〜図１５Ｂに示されているような他の手持ち塗布器の等角図である。
【０１０５】
図７２は、回転ディスペンサーパッドの側面図である。
【０１０６】
図７３は、粒子送達のために吸引と振動との組合せを用いる塗布器の遠位端の側面図である。
【０１０７】
図７４は、粒子送達のために圧電振動を用いる塗布器の遠位端の断面図である。
【０１０８】
図７５は、粒子送達のために誘導コイルおよび磁石を用いる塗布器の遠位端の断面図である。
【０１０９】
図７６は、代替的振動装置を有する塗布器の遠位端の図である。
【０１１０】
図７７は、２つの回転ヘッドを有する塗布器の等角図である。
【０１１１】
図７８Ａおよび図７８Ｂは、３つの回転ヘッドを有する塗布器の等角図および側面図である。
【０１１２】
図７９Ａは、２つの振動球を有する塗布器の側面図を示している。図７９Ｂは、使用時に鼻に配置される図７９Ａの塗布器を示している。
【０１１３】
図８０は、複数の水平ローラを有する塗布器の遠位端の等角部分断面図を示している。
【０１１４】
図８１は、複数のバネ付勢フィンガーを有する塗布器の遠位端の断面図である。
【０１１５】
図８２Ａおよび図８２Ｂは、それぞれ、回転付勢された斜面との相互作用によって移動する個々のピンを有する塗布器の等角図および側面図である。
【０１１６】
本明細書に記載されている実施例および図示例は、例示にすぎず、制限するものではないが、粒子の貯蔵、送達、または皮膚または目標部位への粒子塗布の促進が実行される特定の実施形態を示している。前述の例示的な実施例において一緒に使用されるいくつかの特定の実施形態が示されているが、本発明の種々の態様は、そのように制限されるものではない。前述の１つまたは複数の設計態様または構成要素を追加的な実施形態または追加的な特定の構成に組み合わせることによって、種々の代替的な構成が可能である。一例を挙げると、図１Ｆ、図２Ｂ、図３Ｃ、図４Ｂ〜図４Ｆ、図５Ｂ、図６Ａ、図７Ａ、図８Ａ、図９、図１０Ａ、図１１Ａ〜図１１Ｄ、図１２Ａおよび図１３Ａの１つに例示または記載されている塗布器ヘッドは、例えば、図３２〜図３５Ｂ、図３８Ａ〜図３９Ｂ、図４１Ａ、図４１Ｂ、図４３Ａ〜図４４Ｂ、図４６Ａ〜図５１および図７２〜図８２に例示されている種々の運動誘発装置または流体送達モードの１つまたは１つの組合せと共に用いられるように適合かつ構成されてもよい。さらに他の態様では、例示または記載されている粒子容器（材料容器または粒子ハウジング）のいずれかが、１つまたは複数の嵌合または結合特徴部の形状または大きさの調整または添加によって、本明細書に記載されている種々の送達装置または送達モードのいずれかに用いられるように適合かつ構成されてもよい。嵌合または結合特徴部は、粒子容器外面に制限されず、一方または両方の遠位端に配置されてもよい。全く同様に、粒子容器に嵌合するための塗布器受具は、特定容器内の特定の製剤に特に適合するようになっていてもよい。これによって、ユーザーは、適切な材料容器を適切な塗布器内に挿入させること、または材料の塗布手順または塗布器の使用手順に基づいて適切な材料容器を適切に用いることを確実なものとするように、案内されることになる。容器と塗布器受具との界面に設けられる嵌合または結合特徴部として、単なる例示にすぎず、制限するものではないが、タブ−スロット、ピン−ノッチ、嵌合スプライン、ノブ−ループ、ラチェット、雄／雌コネクタ、摩擦金具、および特定の粒子容器を塗布器受具のソケット内に固定する他の適切な２つ以上の部分継手が挙げられる。
【０１１７】
一態様では、送達流体を送達するための送達装置の操作は、所望の療法のために行なわれる。この場合、送達装置の操作は、完結する治療操作である。他の態様では、送達流体を送達するための送達装置、塗布器、または粒子製剤補助具は、他の治療または他の所望の療法の前または後に行なわれる。この場合、送達装置の操作および使用は、多ステップ療法の一部である。特定の一実施例では、多ステップ治療は、送達システムを用いて、流体、粒子製剤、シェル、薬剤、リポソーム、他の治療剤、または薬理的材料を治療部位または送達部位内の構造上または構造内に送達し、続いて、送達部位または治療部位のさらなる治療が行われるようになっている。特定の一実施例では、さらなる治療が、流体、製剤、または薬理的材料に活性化エネルギーを供給するようになっている。例示的な流体、製剤、および治療薬は、米国特許第６，１８３，７７３号、米国特許第６，５３０，９４４号、米国特許出願公開第２０１３/０３１５９９９号、および米国特許出願公開第２０１２／００５９３０７号に記載されている。これらの文献は、各々、その全体がここに含まれるものとする。付加的または任意選択的に、本明細書に記載されている送達装置を操作するパラメータ、装置構成、および／または使用方法の１つまたは複数が、体の治療部位の位置、一体化されるかまたは単独で用いられる粒子製剤容器の使用、送達流体の種類または量、送達流体の成分または特定構成で用いられる送達流体内の粒子の１つまたは複数の特性に基づいて、修正されてもよい。
【０１１８】
前述の説明は、一般的には製剤、いくつかの特定の実施例では粒子を含む製剤を送達するための装置に対してなされているが、本発明は、そのように制限されるものではない。本明細書に記載されている種々の装置、方法、およびシステムは、製剤、例えば、粒子を含む製剤に加えて、溶解材料の送達に用いられるように適合かつ構成されてもよい。溶解材料は、光吸収染料、色素、薬剤、およびＰＤＴドラグを含むプロドラグのような種々の形態を取ることができる。付加的または任意選択的に、溶解材料または粒子の送達は、貯蔵状態から送達状態に変化する（皮膚への送達のための）製剤の使用を含んでいてもよい。特定の一実施形態では、本明細書に記載されている製剤（すなわち、粒子を含む製剤または溶解材料を含む製剤）は、治療部位への塗布を補助するための（室温における）ペーストを形成するために、ココナッツオイルに組み合わされるようになっている。その後、ココナッツオイル基粒子製剤は、マッサージャーまたは他の機械送達具の使用時に液化されることになる。
【０１１９】
種々の例示的な実施形態について説明してきたが、請求項に記載される本発明の範囲から逸脱することなく、多くの変更のいずれが種々の実施形態に対してなされてもよい。例えば、記載されている種々の方法ステップが行なわれる順序は、多くの場合、代替的実施形態において変更されてもよく、他の代替的実施形態では、１つまたは複数の方法ステップが一緒に省略されてもよい。種々の装置およびシステムの実施形態の任意選択的な特徴が、いくつかの実施形態に含まれるが、他の実施形態に含まれないようになっていてもよい。従って、前述の記載は、主に例示的な目的に対してなされており、請求項に記載される本発明の範囲を制限すると解釈されるべきではない。
【０１２０】
本明細書に含まれる実施例および図示例は、例示にすぎず、制限するものではないが、主題が実施され得る特定の実施形態を示している。前述したように、他の実施形態がこれらの特定の実施形態から活用かつ導かれてもよく、これによって，本開示の範囲から逸脱することなく、構造的および論理的な置換えおよび変更がなされてもよい。本発明の主題に関するこのような実施形態は、本明細書において、便宜上、個別的または集合的に単に「本発明（invention）」と呼ぶが、もし２つ以上の発明が事実上開示されているなら、本出願の範囲を単一の発明または単一の発明概念に自発的に制限することを意図するものではない。従って、特定の実施形態が本明細書に図示され、かつ記載されているが、同じ目的を達成することが想定される構成が、図示されている特定の実施形態と置き換えられてもよい。本開示は、種々の実施形態のあらゆる改良または変更を含むように意図されている。前述の実施形態および本明細書に具体的に記載されていない他の実施形態の組合せは、前述の記載を再検討すれば、当業者にとって明らかであろう。
【図１Ａ】
2017501857.tif 000003
【図１Ｂ】
2017501857.tif 000004
【図１Ｃ】
2017501857.tif 000005
【図１Ｄ】
2017501857.tif 000006
【図１Ｅ】
2017501857.tif 000007
【図１Ｆ】
2017501857.tif 000008
【図２Ａ】
2017501857.tif 000009
【図２Ｂ】
2017501857.tif 000010
【図２Ｃ】
2017501857.tif 000011
【図２Ｄ】
2017501857.tif 000012
【図３Ａ】
2017501857.tif 000013
【図３Ｂ】
2017501857.tif 000014
【図３Ｃ】
2017501857.tif 000015
【図３Ｄ】
2017501857.tif 000016
【図３Ｅ】
2017501857.tif 000017
【図４Ａ】
2017501857.tif 000018
【図４Ｂ】
2017501857.tif 000019
【図４Ｃ】
2017501857.tif 000020
【図４Ｄ】
2017501857.tif 000021
【図４Ｅ】
2017501857.tif 000022
【図４Ｆ】
2017501857.tif 000023
【図５Ａ】
2017501857.tif 000024
【図５Ｂ】
2017501857.tif 000025
【図５Ｃ】
2017501857.tif 000026
【図５Ｄ】
2017501857.tif 000027
【図６Ａ】
2017501857.tif 000028
【図６Ｂ】
2017501857.tif 000029
【図６Ｃ】
2017501857.tif 000030
【図７Ａ】
2017501857.tif 000031
【図７Ｂ】
2017501857.tif 000032
【図７Ｃ】
2017501857.tif 000033
【図７Ｄ】
2017501857.tif 000034
【図７Ｅ】
2017501857.tif 000035
【図７Ｆ】
2017501857.tif 000036
【図７Ｇ】
2017501857.tif 000037
【図７Ｈ】
2017501857.tif 000038
【図７Ｉ】
2017501857.tif 000039
【図７Ｊ】
2017501857.tif 000040
【図７Ｋ】
2017501857.tif 000041
【図８Ａ】
2017501857.tif 000042
【図８Ｂ】
2017501857.tif 000043
【図９】
2017501857.tif 000044
【図１０Ａ】
2017501857.tif 000045
【図１０Ｂ】
2017501857.tif 000046
【図１０Ｃ】
2017501857.tif 000047
【図１１Ａ】
2017501857.tif 000048
【図１１Ｂ】
2017501857.tif 000049
【図１１Ｃ】
2017501857.tif 000050
【図１１Ｄ】
2017501857.tif 000051
【図１２Ａ】
2017501857.tif 000052
【図１２Ｂ】
2017501857.tif 000053
【図１３Ａ】
2017501857.tif 000054
【図１３Ｂ】
2017501857.tif 000055
【図１４Ａ】
2017501857.tif 000056
【図１４Ｂ】
2017501857.tif 000057
【図１４Ｃ】
2017501857.tif 000058
【図１５Ａ】
2017501857.tif 000059
【図１５Ｂ】
2017501857.tif 000060
【図１６】
2017501857.tif 000061
【図１７】
2017501857.tif 000062
【図１８】
2017501857.tif 000063
【図１９】
2017501857.tif 000064
【図２０】
2017501857.tif 000065
【図２１】
2017501857.tif 000066
【図２２Ａ】
2017501857.tif 000067
【図２２Ｂ】
2017501857.tif 000068
【図２３】
2017501857.tif 000069
【図２４】
2017501857.tif 000070
【図２５Ａ】
2017501857.tif 000071
【図２５Ｂ】
2017501857.tif 000072
【図２５Ｃ】
2017501857.tif 000073
【図２６】
2017501857.tif 000074
【図２７】
2017501857.tif 000075
【図２８Ａ】
2017501857.tif 000076
【図２８Ｂ】
2017501857.tif 000077
【図２９Ａ】
2017501857.tif 000078
【図２９Ｂ】
2017501857.tif 000079
【図２９Ｃ】
2017501857.tif 000080
【図２９Ｄ】
2017501857.tif 000081
【図２９Ｅ】
2017501857.tif 000082
【図２９Ｆ】
2017501857.tif 000083
【図２９Ｇ】
2017501857.tif 000084
【図２９Ｈ】
2017501857.tif 000085
【図２９Ｉ】
2017501857.tif 000086
【図３０】
2017501857.tif 000087
【図３１】
2017501857.tif 000088
【図３２】
2017501857.tif 000089
【図３３】
2017501857.tif 000090
【図３４】
2017501857.tif 000091
【図３５Ａ】
2017501857.tif 000092
【図３５Ｂ】
2017501857.tif 000093
【図３６】
2017501857.tif 000094
【図３７Ａ】
2017501857.tif 000095
【図３７Ｂ】
2017501857.tif 000096
【図３８Ａ】
2017501857.tif 000097
【図３８Ｂ】
2017501857.tif 000098
【図３９Ａ】
2017501857.tif 000099
【図３９Ｂ】
2017501857.tif 000100
【図３９Ｃ】
2017501857.tif 000101
【図４０Ａ】
2017501857.tif 000102
【図４０Ｂ】
2017501857.tif 000103
【図４１Ａ】
2017501857.tif 000104
【図４１Ｂ】
2017501857.tif 000105
【図４２Ａ−４２Ｂ】
2017501857.tif 000106
【図４３Ａ】
2017501857.tif 000107
【図４３Ｂ】
2017501857.tif 000108
【図４４Ａ】
2017501857.tif 000109
【図４４Ｂ】
2017501857.tif 000110
【図４５】
2017501857.tif 000111
【図４６Ａ】
2017501857.tif 000112
【図４６Ｂ】
2017501857.tif 000113
【図４６Ｃ】
2017501857.tif 000114
【図４７】
2017501857.tif 000115
【図４８】
2017501857.tif 000116
【図４９】
2017501857.tif 000117
【図５０Ａ】
2017501857.tif 000118
【図５０Ｂ】
2017501857.tif 000119
【図５１】
2017501857.tif 000120
【図５２Ａ】
2017501857.tif 000121
【図５２Ｂ】
2017501857.tif 000122
【図５２Ｃ】
2017501857.tif 000123
【図５３Ａ】
2017501857.tif 000124
【図５３Ｂ】
2017501857.tif 000125
【図５４】
2017501857.tif 000126
【図５５】
2017501857.tif 000127
【図５６Ａ】
2017501857.tif 000128
【図５６Ｂ】
2017501857.tif 000129
【図５７Ａ】
2017501857.tif 000130
【図５７Ｂ】
2017501857.tif 000131
【図５８Ａ】
2017501857.tif 000132
【図５８Ｂ】
2017501857.tif 000133
【図５９Ａ】
2017501857.tif 000134
【図５９Ｂ】
2017501857.tif 000135
【図６０】
2017501857.tif 000136
【図６１】
2017501857.tif 000137
【図６２】
2017501857.tif 000138
【図６３Ａ】
2017501857.tif 000139
【図６３Ｂ】
2017501857.tif 000140
【図６３Ｃ】
2017501857.tif 000141
【図６４】
2017501857.tif 000142
【図６５】
2017501857.tif 000143
【図６６】
2017501857.tif 000144
【図６７】
2017501857.tif 000145
【図６８】
2017501857.tif 000146
【図６９】
2017501857.tif 000147
【図７０】
2017501857.tif 000148
【図７１】
2017501857.tif 000149
【図７２】
2017501857.tif 000150
【図７３】
2017501857.tif 000151
【図７４】
2017501857.tif 000152
【図７５】
2017501857.tif 000153
【図７６】
2017501857.tif 000154
【図７７】
2017501857.tif 000155
【図７８Ａ】
2017501857.tif 000156
【図７８Ｂ】
2017501857.tif 000157
【図７９Ａ】
2017501857.tif 000158
【図７９Ｂ】
2017501857.tif 000159
【図８０】
2017501857.tif 000160
【図８１】
2017501857.tif 000161
【図８２Ａ】
2017501857.tif 000162
【図８２Ｂ】
2017501857.tif 000163
【国際調査報告】
2017501857.tif 000164